(57)【要約】      （修正有）【課題】柱や梁に対応する部位を室内に露出させ、ユーザの多様な好みに対応することができる２×４住宅を提供する。【解決手段】２×４住宅の壁部材１０は、枠組部材５に固定された構造用面材１２の外側に、断熱材及び防湿シートを介してＡＬＣ板が貼り付けられる。壁部材１０の構造用面材１２及び枠組部材５の室内側、天井部７の天井根太６及び天井の構造用面材の下面が、室内側に露出する。【選択図】図１
0003210803.tif 000002
【実用新案登録請求の範囲】
【請求項１】
土台及び大引上にまたは床根太上に、木製床材を貼り付けた剛床と、
剛床上の縁部に、鉛直方向に立設して固定され、２×４材からなる複数の縦枠材が所定間隔で枠状に固定されてなる枠組部材の外壁側に、該枠組部材内を閉鎖するように構造用面材が固定された複数の壁部材と、
該壁部材と該壁部材の上縁部に、水平に掛け渡すように、２×４材からなる複数の天井根太又はトラスが固定され、該天井根太または該トラス上に構造用面材が固定されてなる天井部と、
を備えた２×４住宅であって、
該壁部材は、該構造用面材の外側に、断熱材及び防湿シートを介してＡＬＣ板が貼り付けて形成され、
該天井部の該天井根太又は該トラス及び該構造用面材の下面、並びに該壁部材の該構造用面材及び該枠組部材が、室内側に露出することを特徴とする２×４住宅。
【請求項２】
前記壁部材内側の前記縦枠材と縦枠材間に、棚板が水平に固定され、該棚板と該縦枠材で形成される空間に棚部が形成されたことを特徴とする請求項１記載の２×４住宅。
【請求項３】
前記棚部に棚扉が取り付けられ、収納部が形成されたことを特徴とする請求項２記載の２×４住宅。
【考案の詳細な説明】
【技術分野】
【０００１】
本考案は、２×４工法（木造枠組壁構法）により建築する２×４住宅に関し、特に、縦枠材、天井根太、構造用面材などを室内側に現し、ユーザの多様な好みに適合させることができる２×４住宅に関する。
【背景技術】
【０００２】
木造住宅は、我が国では木造軸組構法で建築される場合が多いが、近年、建築現場での施工の手間や工期、コストを抑えることができるなどのメリットを考慮して、木造枠組壁構法（２×４工法）が採用される場合が多くなっている。
【０００３】
２×４工法は、基本的に、２×４材と面材としての構造用合板を使用して壁部材と剛床を作り、壁部材と剛床とを強固に一体化して、耐震性や耐風圧性を保持させ工法であり、２×４工法により建築される２×４住宅は、下記特許文献１に記載される如く、土台上の側根太と梁との間に、２×４材の縦枠材を所定間隔で固定して枠組とし、その内側に構造用合板や石膏ボードを釘付けして壁部材とし、剛床上に固定する。
【先行技術文献】
【特許文献】
【０００４】
【特許文献１】特開２００１−２２７０８６号公報
【考案の概要】
【考案が解決しようとする課題】
【０００５】
通常、２×４住宅の外周壁は、防火構造とするために、壁部材の室内側に、石膏ボードが枠組内に釘で固定され、室内側は、石膏ボードの表面に貼着したビニルクロスなどで囲われる。
【０００６】
このため、２×４住宅の室内は、ビニルクロスなどの壁面材で、単純化された美しさを出すことはできるものの、ビニルクロスや接着剤に含まれる有機溶剤の飛散の問題がある。また、２×４住宅は、壁面材で枠組内を覆うため、ユーザの好みに応じて、在来の木造軸組構法で良好な雰囲気を醸し出しているように、柱や梁を室内に露出させることは難しい。このため、柱や梁を室内に露出させる構造を好むユーザに対し、２×４住宅を対応させることが難しい課題があった。
【０００７】
本考案は、上述の課題を解決するものであり、柱や梁に対応する部位を室内に露出させ、ユーザの多様な好みに対応することができる２×４住宅を提供することを目的とする。
【課題を解決するための手段】
【０００８】
本考案に係る２×４住宅は、
土台及び大引上にまたは床根太上に、木製床材を貼り付けた剛床と、
剛床上の縁部に、鉛直方向に立設して固定され、２×４材からなる複数の縦枠材が所定間隔で枠状に固定されてなる枠組部材の外壁側に、該枠組部材内を閉鎖するように構造用面材が固定された複数の壁部材と、
該壁部材と該壁部材の上縁部に、水平に掛け渡すように、２×４材からなる複数の天井根太又はトラスが固定され、該天井根太又は該トラス上に構造用面材が固定されてなる天井部と、
を備えた２×４住宅であって、
該壁部材は、該構造用面材の外側に、断熱材及び防湿シートを介してＡＬＣ板が貼り付けて形成され、
該天井部の該天井根太又は該トラス及び該構造用面材の下面、並びに該壁部材の該構造用面材及び該枠組部材が、室内側に露出することを特徴とする。
【０００９】
なおここで、上記構造用面材には、構造用合板、パーティクルボード、ハードボード、ＯＳＢ等の構造用パネルが例示される。
【００１０】
この考案の２×４住宅によれば、壁部材が、構造用面材の外側に、断熱材及び防湿シートを介してＡＬＣ板（軽量コンクリート板）を固定して形成されるため、防火構造とすることが可能となり、且つガスコンロに代えてＩＨコンロを台所に設置し、火気使用室を設けなければ、従来の２×４住宅のように壁部材の室内側や天井面に、石膏ボードを釘付ける必要がない。
【００１１】
このため、柱や梁を室内に露出させる構造を好むユーザに対し、縦枠材、天井根太、トラスなどを露出させた状態で、住宅を引き渡すことができる。また、ユーザは、ＤＩＹなどで、露出した縦枠材、天井根太、トラス或いは構造用面材などの内側に、自分の好みに合せて、塗料や壁材などを施すことができる。また、縦枠材、天井根太、トラス、構造用面材を室内側に露出させることにより、室内空間をより広げることができ、部屋の室内をより広く感じることができる。
【００１２】
ここで、上記壁部材内側の縦枠材と縦枠材間に、棚板を水平に固定し、棚板と縦枠材で形成される空間に棚部を形成することができる。これによれば、壁部材内側に露出する縦枠材と縦枠材間は、適度な寸法間隔で形成され、室内壁面の殆どが壁部材となるので、任意の高さ位置に、多くの棚部を簡単に形成することができる。また、棚部に棚扉を取り付ければ、多くの収納部を壁部材内側に簡単に設けることができる。
【考案の効果】
【００１３】
この考案の２×４住宅によれば、柱（縦枠材）や梁（天井根太）などを室内に露出させ、ユーザの多様な好みに対応させることができる。
【図面の簡単な説明】
【００１４】
【図１】本考案の一実施形態を示す２×４住宅の室内側のパース図である。
【図２】２×４住宅の床部、壁部材、天井部の部分矩計図である。
【図３】２×４住宅の室内側の部分パース図である。
【考案を実施するための形態】
【００１５】
以下、本考案の一実施形態を図面に基づいて説明する。図１、２に示す２×４住宅は、２×４工法（木造枠組壁構法）により建築される２階建ての住宅であり、２×４材と面材としての構造用合板又は構造用パネル使用して剛床１、壁部材１０、天井部７を作り、剛床１、壁部材１０、天井部７を強固に一体化して形成される。
【００１６】
２×４住宅は、図２に示すように、土台２及び大引３上に、木製床材として構造用面材４を貼り付けた剛床１と、剛床１上の縁部に、鉛直方向に立設して固定され、２×４材からなる複数の縦枠材１１が所定間隔で枠状に固定されてなる枠組部材５を有し、枠組部材５の外壁側に構造用面材１２が固定された壁部材１０と、壁部材１０と壁部材１０の上縁部の側根太６ａ（ころび止め６ｂ）間に、水平に掛け渡すように、２×４材からなる天井根太６が固定され、天井根太６上に構造用面材８が固定されてなる天井部７と、を備えて構成される。
【００１７】
図２、図３に示すように、基礎９上に固定された土台２上に、剛床１が形成され、剛床１の各縁部に、壁部材１０が鉛直に立設され固定される。壁部材１０は枠組部材５と構造用面材１２から形成され、枠組部材５は、２×４材からなる上枠５ａ、下枠５ｂ、頭つなぎ５ｃ及び両側の縦枠材１１により、方形枠として形成される。上枠５ａ上に固定される頭つなぎ５ｃは、複数の縦枠材１１と構造用面材１２からなる枠組部材５を、上部で連結するように固定される。枠組部材５の外側には、その内側空間を閉鎖すように、ＡＬＣ板１５が釘付けされ、壁部材１０が形成される。
【００１８】
外壁をなす壁部材１０の室内側に、構造用面材１２が固定され、構造用面材１２には、例えばＯＳＢ等の構造用パネルが使用される。さらに、図２に示すように、構造用面材１２の外側に、胴縁１４が適度な間隔で配置され、胴縁１４間の空間に、比較的厚さの薄い断熱材１３が透湿防水シートとともに挿入され、その外側に、ＡＬＣ（軽量コンクリート）板１５が外側全体を覆うように釘打ち固定される。
【００１９】
この２×４住宅は、構造用面材１２を室内側に固定した壁部材１０の外側に、外壁を覆ってＡＬＣ板１５が固定されて、防火構造とし、且つ台所にはＩＨコンロを設置して、火気使用室を設けていない。これにより、この２×４住宅では、壁部材１０の枠組部材５の室内側に、石膏ボードなどを固定する必要がない構造としている。このため、柱や梁を室内に露出させる構造を好むユーザに対し、石膏ボードを貼ることなく、縦枠材１１や構造用面材１２を露出させた状態で、住宅を引き渡すことができるようになっている。
【００２０】
壁部材１０の枠組部材５の室内側に、石膏ボードなどを固定しない場合、枠組部材５、縦枠材１１及び構造用面材１２の内側面が、室内側に現れるため、ＤＩＹを行うユーザには、各種の塗料、壁材をその好みに合せてＤＩＹで施工することができる。また、縦枠材１１間の空間ができることにより、室内空間が実質的に広くなり、ユーザには広い部屋の感覚を感じさせることができる。
【００２１】
剛床１は、図２に示すように、部屋の４辺を囲う対向する辺の土台２の内側に、複数の調整束で支持された複数の大引３が、水平に掛け渡すように固定され、大引３上に、木製床材として構造用面材４が床張り固定される。大引３間の空間には断熱材２３が挿入される。構造用面材４には、構造用合板、構造用パネルなどの木製床材が使用され、構造用面材４上に、床用杉板などの床板を固定することもできる。
【００２２】
なお、床部は、大引３に代えて床根太を、土台２上に固定した金物間に水平に固定し、床根太上に木製床材として、床用杉板、床用合板などを固定し、剛床１とすることもできる。
【００２３】
部屋の天井部を形成する天井部７は、図２に示すように、部屋の４辺を囲う各壁部材１０の上部に固定された側根太６ａと、対向する側根太６ａ間に水平に固定された複数の天井根太６と、天井根太６上に床張り固定された天井部７とから構成される。天井部７には、例えば構造用パネルなどの天井用の構造用面材８が使用され、所定の間隔で配置された複数の天井根太６上に釘打ち固定される。
【００２４】
天井部７の下面側つまり室内側には、天井材は固定されず、壁部材１０と同様、天井根太６及び構造用面材８の下面が、室内側に現れる構造としている。図２に示すように、天井根太６には、通常、幅の広い２×１０材などが使用されるので、天井根太６の下面を室内側に現すことにより、天井根太６間の十分に広い空間が室内側に現れる。これにより、室内空間が実質的に広くなり、ユーザには部屋の広さを十分に感じさせることができる。また、壁部材１０と同様、天井根太６及び構造用面材８の下面が、室内側に現れるため、ＤＩＹを行うユーザには、各種の塗料、壁材をその好みに合せてＤＩＹで施工することができる。
【００２５】
壁部材１０に形成される窓部は、図１に示すように、窓用開口の下縁部に窓台１６が水平に固定される。また、窓の上縁部に、まぐさ１７ａが水平に固定され、その両側縁部にまぐさ受け１７ｂが縦に固定される。窓台１６、まぐさ１７ａ、まぐさ受け１７ｂには、例えば２×４材が使用される。図３に示すように、このような窓部の内側に、窓枠サッシ２２が固定され、窓が形成される。
【００２６】
さらに、図３に示すように、壁部材１０の任意の位置の室内側に、棚部１９が形成される。壁部材１０の室内側には、縦枠材１１間に、空間が形成されるため、この空間を棚部１９とする。棚部１９は、縦枠材１１間に、棚板１８を水平に固定するのみで、簡単に形成することができ、棚部１９の高さや位置は、任意に形成することができる。さらに、図３に示すように、任意の棚部１９には、棚扉２０が開閉可能に取り付けられ、これにより、壁部材１０の室内側の空間が、有効に利用され、小物の収納部２１が形成されることとなる。
【００２７】
このように、上記２×４住宅は、壁部材１０が、構造用面材１２の外側に、断熱材及び防湿シートを介してＡＬＣ板１５を固定して形成されるため、防火構造とすることが可能なり、従来の２×４住宅のように壁部材の室内側や天井面に石膏ボードを釘付ける必要がない。
【００２８】
このため、柱や梁を室内に露出させる構造を好むユーザに対し、上記のように、壁部材１０の縦枠材１１、枠組部材５、構造用面材１２、天井根太６、及び天井部７を露出させた状態で、住宅をユーザに引き渡すことができる。
【００２９】
また、このような２×４住宅のユーザは、露出した縦枠材１１、枠組部材５や天井根太６或いは構造用面材８、１２の内側に、自分の好みに合せて、ＤＩＹなどで、塗料や壁材などを自由に施すことができる。さらに、天井部７の下面や壁部材１０の縦枠材１１、枠組部材５を室内側に露出させることにより、石膏ボードを内側に固定する場合に比して、室内空間をより広げることができ、部屋の室内空間をより広く感じることができる。
【００３０】
なお、上記実施形態では２階建ての２×４住宅を例として説明したが、平屋の２×４住宅にも適用することができる。平屋の２×４住宅の場合、部屋の天井部には、複数のトラスと、トラスの上を覆う野地板の構造用面材が、室内側に現れることとなる。
【符号の説明】
【００３１】
１      剛床
２      土台
３      大引
４      構造用面材
５      枠組部材
５ａ    上枠
５ｂ    下枠
５ｃ    頭つなぎ
６      天井根太
６ａ    側根太
６ｂ    ころび止め
７      天井部
８      構造用面材
９      基礎
１０    壁部材
１１    縦枠材
１２    構造用面材
１３    断熱材
１４    胴縁
１５    ＡＬＣ板
１６    窓台
１８    棚板
１９    棚部
２０    棚扉
２１    収納部
２２    窓枠サッシ
２３    断熱材
【図１】
0003210803.tif 000003
【図２】
0003210803.tif 000004
【図３】
0003210803.tif 000005